(57)【要約】      （修正有）【課題】被検者に携帯された送信装置から生体信号記録装置へ送信装置と生体信号記録装置間の通信状態によらずデータを欠落なく記録する。【解決手段】生体信号取得部２は、被検者１００に装着され、送信装置３も、携帯される。送信装置３は、生体信号記録装置４と無線通信可能で、送信部３１は、生体信号データＶＤを送信する。記憶部３２は、生体信号データＶＤを記憶する。受信部４１は、生体信号データＶＤを受信する。記録部４２は、受信部４１により受信された生体信号データＶＤを記録する。検出部４３は、記録部４２に記録された生体信号データＶＤの欠落部分ＤＰを検出する。通知部４４は、検出された欠落部分ＤＰを送信装置３に通知する。補完送信部３３は、通知された欠落部分ＤＰに対応する生体信号データＶＤＰを、記憶部３２から読み出して送信する。補完記録部４５は、補完送信部３３から送信された生体信号データＶＤＰを記録する。【選択図】図１
2016093296.tif 000002
【特許請求の範囲】
【請求項１】
被検者の生体信号を記録する生体信号記録システムであって、
前記被検者に装着可能であり、当該被検者の生体信号を取得するように構成された生体信号取得部と、
前記被検者により携帯可能に構成された送信装置と、
前記送信装置と無線通信可能に構成された生体信号記録装置と、
を備えており、
前記送信装置は、
前記生体信号に対応する生体信号データを送信するように構成された送信部と、
前記送信部により送信される生体信号データを記憶するように構成された記憶部と、
を備えており、
前記生体信号記録装置は、
前記送信部により送信された生体信号データを受信するように構成された受信部と、
前記受信部により受信された生体信号データを記録するように構成された記録部と、
前記記録部に記録された生体信号データの欠落部分を検出するように構成された検出部と、
前記検出部により検出された前記欠落部分を前記送信装置に通知するように構成された通知部と、
を備えており、
前記送信装置は、前記通知部により通知された前記欠落部分に対応する生体信号データを、前記記憶部から読み出して送信するように構成された補完送信部を備えており、
前記生体信号記録装置は、前記補完送信部から送信された前記欠落部分に対応する生体信号データを記録するように構成された補完記録部を備えている、
生体信号記録システム。
【請求項２】
前記記憶部は、前記生体信号データを、時刻情報と関連付けて記憶するように構成されており、
前記記録部は、前記受信部により受信された生体信号データを、時刻情報と関連付けて記録するように構成されており、
前記通知部は、前記欠落部分に関連付けられた時刻情報を前記送信装置に通知するように構成されており、
前記補完送信部は、前記通知部により通知された時刻情報に対応する時刻情報に関連付けられた生体信号データを、前記記憶部より読み出すように構成されている、
請求項１に記載の生体信号記録システム。
【請求項３】
前記送信装置と前記生体信号記録装置は、有線接続を介して通信可能とされており、
前記通知部、前記補完送信部、および前記補完記録部は、前記送信装置と前記生体信号記録装置は、前記有線接続が確立しているときに動作するように構成されている、
請求項１または２に記載の生体信号記録システム。
【請求項４】
前記記憶部は、可搬記憶媒体であり、
前記送信装置は、前記可搬記憶媒体を装着可能な媒体装着部を備えており、
前記媒体装着部に前記可搬記録媒体が装着された場合、前記補完記録部は、前記検出部により検出された前記欠落部分に対応する生体信号データを、前記可搬記憶媒体から読み出して記録するように構成されている、
請求項１から３のいずれか一項に記載の生体信号記録システム。
【請求項５】
前記生体信号記録装置は、前記記録部に記録された生体信号データと、前記補完記録部により記録された生体信号データとを、時系列順に表示するように構成された表示部を備えている、
請求項１から４のいずれか一項に記載の生体信号記録システム。
【請求項６】
前記送信装置は、
バッテリと、
外部から供給される電力で前記バッテリを充電するように構成された充電部と、
を備えている、
請求項１から５のいずれか一項に記載の生体信号記録システム。
【請求項７】
前記送信装置と前記生体信号記録装置は、有線接続を介して通信可能とされており、
前記充電部は、前記有線接続を介して前記生体信号記録装置から供給される電力で前記バッテリを充電するように構成されている、
請求項６に記載の生体信号記録システム。
【請求項８】
前記生体信号は脳波であり、
前記生体情報記録装置は、脳波計である、
請求項１から７のいずれか一項に記載の生体信号記録システム。
【発明の詳細な説明】
【技術分野】
【０００１】
本発明は、被検者の生体信号を記録するシステムに関する。
【背景技術】
【０００２】
この種のシステムは、例えば特許文献１に開示されている。当該システムは、生体信号取得部、送信装置、および生体信号記録装置を備えている。生体信号取得部は、被検者に装着され、当該被検者の生体信号を取得する。送信装置は、当該被検者に携帯され、生体信号取得部により取得された生体信号に対応する生体信号データを、生体信号記録装置へ送信する。
【先行技術文献】
【特許文献】
【０００３】
【特許文献１】特開２００５−１５２４０１号公報
【発明の概要】
【発明が解決しようとする課題】
【０００４】
本発明は、被検者に携帯された送信装置から生体信号記録装置へ当該被検者の生体信号に対応する生体信号データを送信するシステムにおいて、送信装置と生体信号記録装置間の通信状態によらず、生体信号データを欠落なく記録することを目的とする。
【課題を解決するための手段】
【０００５】
上記の目的を達成するために、本発明がとりうる一態様は、被検者の生体信号を記録する生体信号記録システムであって、
前記被検者に装着可能であり、当該被検者の生体信号を取得するように構成された生体信号取得部と、
前記被検者により携帯可能に構成された送信装置と、
前記送信装置と無線通信可能に構成された生体信号記録装置と、
を備えており、
前記送信装置は、
前記生体信号に対応する生体信号データを送信するように構成された送信部と、
前記送信部により送信される生体信号データを記憶するように構成された記憶部と、
を備えており、
前記生体信号記録装置は、
前記送信部により送信された生体信号データを受信するように構成された受信部と、
前記受信部により受信された生体信号データを記録するように構成された記録部と、
前記記録部に記録された生体信号データの欠落部分を検出するように構成された検出部と、
前記検出部により検出された前記欠落部分を前記送信装置に通知するように構成された通知部と、
を備えており、
前記送信装置は、前記通知部により通知された前記欠落部分に対応する生体信号データを、前記記憶部から読み出して送信するように構成された補完送信部を備えており、
前記生体信号記録装置は、前記補完送信部から送信された前記欠落部分に対応する生体信号データを記録するように構成された補完記録部を備えている、
生体信号記録システム。
【０００６】
このような構成によれば、送信装置と生体信号記録装置の間の通信状態によらず、生体信号取得部により取得された被検者の生体信号に対応する生体信号データは、すべて送信装置の記憶部に保存される。送信装置と生体信号記録装置の間の通信が途絶状態から復旧すると、通信途絶中に受信できなかった生体信号データの存在によらず、生体信号記録装置の受信部により受信された生体信号データが、生体信号記録装置の記録部に記録される。通信途絶中に受信できなかった生体信号データの存在、換言すると生体信号データの欠落部分の存在は、生体信号記録装置の検出部により検出され、生体信号記録装置の通知部により送信装置に通知される。送信装置の補完送信部は、通知された欠落部分に対応する生体信号データを記憶部から読み出し、生体信号記録装置へ送信する。補完送信部により送信された生体信号データは、生体信号記録装置の補完記録部に記録される。これにより、生体信号取得部により取得された被検者の生体信号に対応する生体信号データのすべてが、最終的に生体信号記録装置に保存される。
【０００７】
すなわち、送信装置と生体信号記録装置の間の通信が途絶状態から復旧すると、生体信号記録装置においては、受信された生体信号データの実時間記録が優先される。通信途絶中に受信できなかった生体信号データの欠落部分に対応する生体信号データは、送信装置への事後的な通知を通じて生体信号記録装置に補完記録される。したがって、被検者に携帯された送信装置から生体信号記録装置へ当該被検者の生体信号に対応する生体信号データを送信するシステムにおいて、送信装置と生体信号記録装置の間の通信状態によらず、生体信号データを欠落なく記録できる。さらに、このような構成を有するシステムによれば、送信装置と生体信号記録装置の間の通信確立状態を維持するために被検者を一定の場所に拘束する必要がない。したがって、生体信号の記録が長時間にわたる場合においても、被検者の負担を抑制できる。
【０００８】
上記の生体信号記録システムは、以下のように構成されうる。
前記記憶部は、前記生体信号データを、時刻情報と関連付けて記憶するように構成されており、
前記記録部は、前記受信部により受信された生体信号データを、時刻情報と関連付けて記録するように構成されており、
前記通知部は、前記欠落部分に関連付けられた時刻情報を前記送信装置に通知するように構成されており、
前記補完送信部は、前記通知部により通知された時刻情報に対応する時刻情報に関連付けられた生体信号データを、前記記憶部より読み出すように構成されている。
【０００９】
このような構成によれば、生体信号記録装置の記録部における生体信号データの欠落部分と、送信装置の記憶部における当該欠落部分に対応する生体信号データとの対応付けが容易になされる。これにより、生体信号記録装置における生体信号データの欠落部分の補完が容易になされる。したがって、被検者に携帯された送信装置から生体信号記録装置へ当該被検者の生体信号に対応する生体信号データを送信するシステムにおいて、生体信号データを欠落なく記録することを容易にできる。
【００１０】
上記の生体信号記録システムは、以下のように構成されうる。
前記送信装置と前記生体信号記録装置は、有線接続を介して通信可能とされており、
前記通知部、前記補完送信部、および前記補完記録部は、前記送信装置と前記生体信号記録装置は、前記有線接続が確立しているときに動作するように構成されている。
【００１１】
このような構成によれば、生体信号データの欠落部分の通知、および当該欠落部分に対応する生体信号データの補完に係るデータ通信が無線通信を介して行なわれる場合と比較して、データ通信の確実性を向上できる。したがって、被検者に携帯された送信装置から生体信号記録装置へ当該被検者の生体信号に対応する生体信号データを送信するシステムにおいて、生体信号データを欠落なく記録することを容易にできる。
【００１２】
上記の生体信号記録システムは、以下のように構成されうる。
前記記憶部は、可搬記憶媒体であり、
前記送信装置は、前記可搬記憶媒体を装着可能な媒体装着部を備えており、
前記媒体装着部に前記可搬記録媒体が装着された場合、前記補完記録部は、前記検出部により検出された前記欠落部分に対応する生体信号データを、前記可搬記憶媒体から読み出して記録するように構成されている。
【００１３】
このような構成によっても、生体信号データの欠落部分の通知、および当該欠落部分に対応する生体信号データの補完に係るデータ通信が無線通信を介して行なわれる場合と比較して、データ通信の確実性を向上できる。したがって、被検者に携帯された送信装置から生体信号記録装置へ当該被検者の生体信号に対応する生体信号データを送信するシステムにおいて、生体信号データを欠落なく記録することを容易にできる。
【００１４】
上記の生体信号記録システムは、以下のように構成されうる。
前記生体信号記録装置は、前記記録部に記録された生体信号データと、前記補完記録部により記録された生体信号データとを、時系列順に表示するように構成された表示部を備えている。
【００１５】
このような構成によれば、送信装置と生体信号記録装置の間の通信状態の履歴によらず、あたかも被検者の生体信号が実時間で記録され続けたかのように表示できる。したがって、被検者に携帯された送信装置から生体信号記録装置へ当該被検者の生体信号に対応する生体信号データを送信するシステムにおいて、送信装置と生体信号記録装置の間の通信状態によらず、生体信号データを欠落なく記録できるだけでなく、欠落がなかったかのように生体信号を表示できる。
【００１６】
上記の生体信号記録システムは、以下のように構成されうる。
前記送信装置は、
バッテリと、
外部から供給される電力で前記バッテリを充電するように構成された充電部と、
を備えている。
【００１７】
バッテリの残量減は、送信装置と生体信号記録装置の間の無線通信が途絶する原因となりうる。しかしながら、このような構成によれば、必要に応じてバッテリを充電できる。これにより、送信装置と生体信号記録装置の間の通信確立状態が維持される時間を延長できる。したがって、被検者に携帯された送信装置から生体信号記録装置へ当該被検者の生体信号に対応する生体信号データを送信するシステムにおいて、生体信号データを欠落なく記録することを容易にできる。
【００１８】
この場合、上記の生体信号記録システムは、以下のように構成されうる。
前記送信装置と前記生体信号記録装置は、有線接続を介して通信可能とされており、
前記充電部は、前記有線接続を介して前記生体信号記録装置から供給される電力で前記バッテリを充電するように構成されている。
【００１９】
このような構成によれば、送信装置と生体信号記録装置の間の通信が有線接続を通じて行なわれる機会を利用し、バッテリを充電できる。これにより、送信装置と生体信号記録装置の間の通信確立状態が維持される時間を延長できる。したがって、被検者に携帯された送信装置から生体信号記録装置へ当該被検者の生体信号に対応する生体信号データを送信するシステムにおいて、生体信号データを欠落なく記録することをより容易にできる。
【００２０】
上記の生体信号記録システムは、以下のように構成されうる。
前記生体信号は脳波であり、
前記生体情報取得装置は、脳波計である。
【００２１】
特にてんかん患者の場合、発作記録のために長時間にわたる脳波の連続記録が必要である。したがって、このような構成によれば、てんかん患者の自由な移動を許容しつつ、脳波の連続記録が可能である。したがって、てんかん患者の負担を軽減しつつ、脳波データを欠落なく記録できる。
【図面の簡単な説明】
【００２２】
【図１】一実施形態に係る生体信号記録システムの構成を示す図である。
【図２】上記システムの動作を説明する図である。
【発明を実施するための形態】
【００２３】
添付の図面を参照しつつ、本発明に係る実施形態の例を以下詳細に説明する。図１は、一実施形態に係る生体信号記録システム１を示す機能ブロック図である。
【００２４】
生体信号記録システム１は、被検者１００の生体情報を取得するシステムである。生体信号記録システム１は、生体信号取得部２を備えている。生体信号取得部２は、被検者１００に装着され、当該被検者１００の生体信号を取得可能に構成されている。生体信号取得部２は、例えば、被検者１００の頭部に装着される複数の電極である。生体信号は、例えば、脳波である。
【００２５】
生体信号記録システム１は、送信装置３を備えている。送信装置３は、被検者１００により携帯可能に構成された装置である。すなわち、生体信号取得部２と送信装置３は、被検者１００とともに移動する。送信装置３は、生体信号取得部２により取得された生体信号を受信可能に構成されている。すなわち、生体信号取得部２と送信装置３は、有線通信あるいは無線通信が可能に構成されている。
【００２６】
生体信号記録システム１は、生体信号記録装置４を備えている。生体信号記録装置４は、送信装置３と無線通信可能に構成されている。生体信号記録装置４は、例えば脳波計である。
【００２７】
送信装置３は、送信部３１を備えている。送信部３１は、生体信号取得部２により取得された被検者１００の生体信号に対応する生体信号データＶＤを、生体信号記録装置４へ送信するように構成されている。
【００２８】
送信装置３は、記憶部３２を備えている。記憶部３２は、送信部３１により送信される生体信号データＶＤを記憶するように構成されている。記憶部３２は、送信装置３と生体信号記録装置４の間の通信状態によらず、生体信号データＶＤを記憶するように構成されている。
【００２９】
生体信号記録装置４は、受信部４１を備えている。受信部４１は、送信装置３の送信部３１から送信された生体信号データＶＤを受信するように構成されている。
【００３０】
生体信号記録装置４は、記録部４２を備えている。記録部４２は、受信部４１により受信された生体信号データＶＤを記録するように構成されている。
【００３１】
生体信号記録装置４は、検出部４３を備えている。検出部４３は、記録部４２に記録された生体信号データＶＤの欠落部分ＤＰを検出するように構成されている。
【００３２】
生体信号記録装置４は、通知部４４を備えている。通知部４４は、検出部４３により検出された生体信号データＶＤの欠落部分ＤＰを、送信装置３に通知するように構成されている。
【００３３】
送信装置３は、補完送信部３３を備えている。補完送信部３３は、生体信号記録装置４の通知部４４により通知された欠落部分ＤＰに対応する生体信号データＶＤＰを、記憶部３２から読み出すように構成されている。また、補完送信部３３は、記憶部３２から読み出した生体信号データＶＤＰを、生体信号記録装置４へ送信するように構成されている。
【００３４】
生体信号記録装置４は、補完記録部４５を備えている。補完記録部４５は、送信装置３の補完送信部３３から送信された生体信号データＶＤＰを記録するように構成されている。図１においては図示が省略されているが、補完送信部３３により送信された生体信号データＶＤＰは、受信部４１によって受信されてから補完記録部４５に記録される。
【００３５】
上記のように構成された生体信号記録システム１の動作について、図２を参照しつつ説明する。図２の（ａ）は、送信装置３と生体信号記録装置４の間の通信が確立し続けている状態を示している。図２の（ｂ）は、送信装置３と生体信号記録装置４の間の通信が一時的に確立しなくなる状態を示している。
【００３６】
以降の説明においては、時刻ｔ１において生体信号取得部２により取得された生体信号に対応する生体信号データＶＤを符号Ｄ１で表す。同様にして、時刻ｔ２、ｔ３、ｔ４、ｔ５において生体信号取得部２により取得された生体信号に対応する生体信号データＶＤを、それぞれ符号Ｄ２、Ｄ３、Ｄ４、Ｄ５で表す。なお、本明細書では、「時刻ｔ１」という表現を、時刻ｔ１を含む一定長の時間という意味で用いる。時刻ｔ２〜ｔ５についても同様である。
【００３７】
時刻ｔ１において生体信号取得部２により取得された一定長の生体信号に対応する生体信号データＤ１は、送信装置３に入力される。図２の（ａ）に示すように、送信装置３の記憶部３２は、生体信号データＤ１を記憶する。他方、送信装置３の送信部３１は、生体信号データＤ１を、生体信号記録装置４へ送信する。時刻ｔ１においては送信装置３と生体信号記録装置４の間の通信が確立しているため、生体信号記録装置４の受信部４１は、生体信号データＤ１を受信できる。生体信号記録装置４の記録部４２は、受信された生体信号データＤ１を実時間で記録する。
【００３８】
時刻ｔ２において生体信号取得部２により取得された一定長の生体信号に対応する生体信号データＤ２は、送信装置３に入力される。図２の（ａ）に示すように、送信装置３の記憶部３２は、生体信号データＤ２を記憶する。他方、送信装置３の送信部３１は、生体信号データＤ２を、生体信号記録装置４へ送信する。時刻ｔ２においては送信装置３と生体信号記録装置４の間の通信が確立しているため、生体信号記録装置４の受信部４１は、生体信号データＤ２を受信できる。生体信号記録装置４の記録部４２は、受信された生体信号データＤ２を実時間で記録する。したがって、記憶部３２と記録部４２のそれぞれには、生体信号データＤ１、Ｄ２が保持されている。
【００３９】
時刻ｔ３〜ｔ５についても同様の処理が実行される。送信装置３と生体信号記録装置４の間の通信が確立し続けているため、時刻ｔ５において、記憶部３２と記録部４２のそれぞれには、生体信号データＤ１〜Ｄ５が保持されている。
【００４０】
次に、図２の（ｂ）を参照しつつ、時刻ｔ２において送信装置３と生体信号記録装置４の間の通信が途絶した場合について説明する。通信が途絶する原因としては、被検者１００の移動に伴う無線通信状態の変化や、送信装置３を駆動するバッテリの残量減に伴う送信部３１のデータ送信能力低下などが挙げられる。
【００４１】
時刻ｔ１における動作は、図２の（ａ）に示した場合と同じである。
【００４２】
時刻ｔ２において生体信号取得部２により取得された一定長の生体信号に対応する生体信号データＤ２は、送信装置３に入力される。送信装置３の記憶部３２は、生体信号データＤ２を記憶する。他方、送信装置３の送信部３１は、生体信号データＤ２を、生体信号記録装置４へ送信する。しかしながら、時刻ｔ２においては送信装置３と生体信号記録装置４の間の通信が途絶しているため、生体信号記録装置４の受信部４１は、生体信号データＤ２を受信できない。したがって、記憶部３２には生体信号データＤ１、Ｄ２が保持されているが、記録部４２には生体信号データＤ１のみが保持されている。
【００４３】
時刻ｔ３において生体信号取得部２により取得された一定長の生体信号に対応する生体信号データＤ３は、送信装置３に入力される。送信装置３の記憶部３２は、生体信号データＤ３を記憶する。他方、送信装置３の送信部３１は、生体信号データＤ３を、生体信号記録装置４へ送信する。時刻ｔ３においては送信装置３と生体信号記録装置４の間の通信が確立しているため、生体信号記録装置４の受信部４１は、生体信号データＤ３を受信できる。生体信号記録装置４の記録部４２は、受信された生体信号データＤ３を実時間で記録する。したがって、記憶部３２には生体信号データＤ１〜Ｄ３が保持されているが、記録部４２には生体信号データＤ１、Ｄ３のみが保持されている。
【００４４】
時刻ｔ４において生体信号取得部２により取得された一定長の生体信号に対応する生体信号データＤ４は、送信装置３に入力される。送信装置３の記憶部３２は、生体信号データＤ４を記憶する。他方、送信装置３の送信部３１は、生体信号データＤ４を、生体信号記録装置４へ送信する。しかしながら、時刻ｔ４においては送信装置３と生体信号記録装置４の間の通信が途絶しているため、生体信号記録装置４の受信部４１は、生体信号データＤ４を受信できない。したがって、記憶部３２には生体信号データＤ１〜Ｄ４が保持されているが、記録部４２には生体信号データＤ１、Ｄ３のみが保持されている。
【００４５】
時刻ｔ５において生体信号取得部２により取得された一定長の生体信号に対応する生体信号データＤ５は、送信装置３に入力される。送信装置３の記憶部３２は、生体信号データＤ５を記憶する。他方、送信装置３の送信部３１は、生体信号データＤ５を、生体信号記録装置４へ送信する。時刻ｔ５においては送信装置３と生体信号記録装置４の間の通信が確立しているため、生体信号記録装置４の受信部４１は、生体信号データＤ５を受信できる。生体信号記録装置４の記録部４２は、受信された生体信号データＤ５を実時間で記録する。したがって、記憶部３２には生体信号データＤ１〜Ｄ５が保持されているが、記録部４２には生体信号データＤ１、Ｄ３、Ｄ５のみが保持されている。
【００４６】
生体信号記録装置４の検出部４３は、記録部４２における生体信号データＤ２、Ｄ４の不在を、生体信号データの欠落部分ＤＰとして検出する。通知部４４は、検出された欠落部分ＤＰを送信装置３へ通知する。通知部４４による通知は、送信装置３と生体信号記録装置４の間の通信が確立している間に、欠落部分ＤＰが生体信号データＤ２、Ｄ４であることを認識可能な態様で行なわれる。
【００４７】
送信装置３の補完送信部３３は、検出部４３から通知された生体信号データの欠落部分ＤＰに対応する生体信号データＶＤＰを記憶部３２から読み出す。ここでは、生体信号データＤ２、Ｄ４が、生体信号データＶＤＰに対応する。補完送信部３３は、送信装置３と生体信号記録装置４の間の通信が確立している間に、読み出した生体信号データＤ２、Ｄ４を、生体信号記録装置４へ送信する。生体信号記録装置４の受信部４１は、補完送信部３３により送信された生体信号データＤ２、Ｄ４を受信する。生体信号記録装置４の補完記録部４５は、受信部４１により受信された生体信号データＤ２、Ｄ４を記録する。
【００４８】
このような構成によれば、送信装置３と生体信号記録装置４の間の通信状態によらず、生体信号取得部２により取得された被検者１００の生体信号に対応する生体信号データＶＤ（Ｄ１〜Ｄ５）は、すべて送信装置３の記憶部３２に保存される。送信装置３と生体信号記録装置４の間の通信が途絶状態から復旧すると、通信途絶中に受信できなかった生体信号データＶＤ（Ｄ２、Ｄ４）の存在によらず、生体信号記録装置４の受信部４１により受信された生体信号データＶＤが、生体信号記録装置４の記録部４２に記録される。通信途絶中に受信できなかった生体信号データの存在、換言すると生体信号データの欠落部分ＤＰ（Ｄ２、Ｄ４）の存在は、生体信号記録装置４の検出部４３により検出され、生体信号記録装置４の通知部４４により送信装置３に通知される。送信装置３の補完送信部３３は、通知された欠落部分ＤＰに対応する生体信号データＶＤＰ（Ｄ２、Ｄ４）を記憶部３２から読み出し、生体信号記録装置４へ送信する。補完送信部３３により送信された生体信号データＶＤＰは、生体信号記録装置４の補完記録部４５に記録される。これにより、生体信号取得部２により取得された被検者１００の生体信号に対応する生体信号データＶＤのすべてが、最終的に生体信号記録装置４に保存される。
【００４９】
すなわち、送信装置３と生体信号記録装置４の間の通信が途絶状態から復旧すると、生体信号記録装置４においては、受信された生体信号データＶＤの実時間記録が優先される。通信途絶中に受信できなかった生体信号データの欠落部分ＤＰに対応する生体信号データＶＤＰは、送信装置３への事後的な通知を通じて生体信号記録装置４に補完記録される。したがって、被検者１００に携帯された送信装置３から生体信号記録装置４へ当該被検者１００の生体信号に対応する生体信号データＶＤを送信するシステムにおいて、送信装置３と生体信号記録装置４の間の通信状態によらず、生体信号データＶＤを欠落なく記録できる。さらに、このような構成を有するシステムによれば、送信装置３と生体信号記録装置４の間の通信確立状態を維持するために被検者１００を一定の場所に拘束する必要がない。したがって、生体信号の記録が長時間にわたる場合においても、被検者１００の負担を抑制できる。
【００５０】
生体信号記録装置４の検出部４３が生体信号データの欠落部分ＤＰを検出するタイミングは、適宜に定められうる。例えば、検出部４３は、欠落部分ＤＰが確定する度に（図２の（ｂ）に示した例では時刻ｔ３と時刻ｔ５）これを検出してもよい。あるいは、検出部４３は、ある単位の生体信号記録が終了した後に、すべての欠落部分ＤＰを一括して検出してもよい。
【００５１】
生体信号記録装置４の通知部４４が生体信号データの欠落部分ＤＰを送信装置３に通知するタイミングは、適宜に定められうる。例えば、通知部４４は、検出部４３が欠落部分ＤＰを検出する度に通知を行なってもよい。あるいは、通知部４４は、所定数の欠落部分ＤＰが検出される度に通知を行なってもよい。またあるいは、通知部４４は、ある単位の生体信号記録が終了した後に、全ての欠落部分ＤＰを一括して通知してもよい。
【００５２】
送信装置３の記憶部３２は、補完送信部３３により欠落部分ＤＰに対応する生体信号データＶＤＰが読み出される度に、当該生体信号データより時間的に早く保存された生体信号データＶＤが削除されるように構成されうる。そのような生体信号データＶＤは、既に生体信号記録装置４に保存済みであることが確定しているからである。図２の（ｂ）に示した例の場合、生体信号データＤ２、Ｄ４が読み出された後に生体信号データＤ１、Ｄ３は削除されうる。送信装置３は被検者１００に携帯される構成であるため、記憶部３２については大きな記憶容量を確保することが比較的難しい。上記のような構成によれば、記憶部３２の記憶容量が比較的小さい場合において、記憶領域を節約できる。
【００５３】
本実施形態においては、送信装置３の記憶部３２は、生体信号データＶＤを、時刻情報と関連付けて記憶するように構成されている。当該時刻情報は、送信装置３に設けられた図示しない内部タイマにより生成される。他方、生体信号記録装置４の記録部４２は、受信部４１により受信された生体信号データＶＤを、時刻情報と関連付けて記録するように構成されている。当該時刻情報は、生体信号記録装置４に設けられた図示しない内部タイマにより生成される。送信装置３の内部タイマと生体信号記録装置４の内部タイマは同期している。
【００５４】
この場合、生体信号データの欠落部分ＤＰは、送信装置３と生体信号記録装置４の通信が途絶状態にあった時刻情報に関連付けられる。生体信号記録装置４の通知部４４は、検出部４３により検出された生体信号データの欠落部分ＤＰに関連付けられた時刻情報を送信装置３に通知するように構成されている。他方、送信装置３の補完送信部３３は、通知部４４により通知された時刻情報に対応する時刻情報に関連付けられた生体信号データＶＤＰを、記憶部３２から読み出すように構成されている。
【００５５】
このような構成によれば、生体信号記録装置４の記録部４２における生体信号データの欠落部分ＤＰと、送信装置３の記憶部３２における当該欠落部分に対応する生体信号データＶＤＰとの対応付けが容易になされる。これにより、生体信号記録装置４における生体信号データの欠落部分ＤＰの補完が容易になされる。したがって、被検者１００に携帯された送信装置３から生体信号記録装置４へ当該被検者１００の生体信号に対応する生体信号データＶＤを送信するシステムにおいて、送信装置３と生体信号記録装置４の間の通信状態によらず、生体信号データＶＤを欠落なく容易に記録できる。
【００５６】
生体信号記録装置４の記録部４２における生体信号データの欠落部分ＤＰと、送信装置３の記憶部３２における当該欠落部分に対応する生体信号データＶＤＰとの対応付けが可能であれば、対応付けに用いる基準は時刻情報に限られない。例えば、記憶部３２と記録部４２における保存領域のアドレスや、生体信号データに付与される参照番号などが、対応付けの基準に用いられうる。
【００５７】
図１に破線で示したように、生体信号記録装置４は、表示部４６を備えている。表示部４６は、記録部４２に記録された生体信号データＶＤと、補完記録部４５に記録された生体信号データＶＤＰとを、時系列順に表示するように構成されている。図２の（ｂ）に示した例の場合、記録部４２には生体信号データＤ１、Ｄ３、Ｄ５が保存され、補完記録部４５には生体信号データＤ２、Ｄ４が保存されている。したがって、表示部４６は、Ｄ１、Ｄ２、Ｄ３、Ｄ４、Ｄ５の順にこれらの生体信号データを表示する。
【００５８】
このような構成によれば、送信装置３と生体信号記録装置４の間の通信状態の履歴によらず、あたかも被検者１００の生体信号が実時間で記録され続けたかのように表示できる。したがって、被検者１００に携帯された送信装置３から生体信号記録装置４へ当該被検者１００の生体信号に対応する生体信号データＶＤを送信するシステムにおいて、送信装置３と生体信号記録装置４の間の通信状態によらず、生体信号データＶＤを欠落なく記録できるだけでなく、欠落がなかったかのように生体信号を表示できる。
【００５９】
図１に破線で示したように、生体信号記録装置４は、電源部４７を備えている。電源部４７は、商用電源から電力を取得し、生体信号記録装置４の各部へ供給するように構成されている。他方、送信装置３は、バッテリ３４を備えている。バッテリ３４は、自身に蓄積されている電力を、送信装置３の各部へ供給するように構成されている。
【００６０】
図１に破線で示したように、送信装置３と生体信号記録装置４は、有線接続ＷＣを介して通信可能に構成されうる。この場合、送信装置３は、充電部３５を備えうる。充電部３５は、有線接続ＷＣを介して生体信号記録装置４の電源部４７から供給される電力ＰＷでバッテリ３４を充電するように構成されている。
【００６１】
前述のように、バッテリ３４の残量減は、送信装置３と生体信号記録装置４の間の無線通信が途絶する原因となりうる。しかしながら、このような構成によれば、送信装置３と生体信号記録装置４の間の通信が有線接続ＷＣを通じて行なわれる機会を利用し、バッテリ３４を充電できる。これにより、送信装置３と生体信号記録装置４の間の通信確立状態が維持される時間を延長できる。したがって、被検者１００に携帯された送信装置３から生体信号記録装置４へ当該被検者１００の生体信号に対応する生体信号データＶＤを送信するシステムにおいて、生体信号データＶＤを欠落なく記録することを容易にできる。
【００６２】
送信装置３と生体信号記録装置４が有線接続ＷＣを介して通信可能に構成される場合、送信装置３の補完送信部３３と生体信号記録装置４の通知部４４および補完記録部４５は、有線接続ＷＣが確立しているときに動作するように構成されうる。
【００６３】
このような構成によれば、生体信号データの欠落部分ＤＰの通知、および当該欠落部分に対応する生体信号データＶＤＰの補完に係るデータ通信が無線通信を介して行なわれる場合と比較して、データ通信の確実性を向上できる。したがって、被検者１００に携帯された送信装置３から生体信号記録装置４へ当該被検者１００の生体信号に対応する生体信号データＶＤを送信するシステムにおいて、生体信号データＶＤを欠落なく記録することを容易にできる。
【００６４】
送信装置３の記憶部３２は、可搬記憶媒体として構成されうる。この場合、図１に破線で示すように、生体信号記録装置４は、媒体装着部４８を備えうる。図１に二点鎖線で示すように、媒体装着部４８は、可搬記憶媒体としての記憶部３２を着脱可能に構成される。図１に破線で示すように、生体信号記録装置４の補完記録部４５は、媒体装着部４８に可搬記憶媒体としての記憶部３２が装着されたとき、生体信号記録装置４の検出部４３が検出した生体信号データの欠落部分ＤＰに対応する生体信号データＶＤＰを、記憶部３２から読み出して記録するように構成される。
【００６５】
このような構成によれば、生体信号データの欠落部分ＤＰの通知、および当該欠落部分に対応する生体信号データＶＤＰの補完に係るデータ通信が無線通信を介して行なわれる場合と比較して、データ通信の確実性を向上できる。したがって、被検者１００に携帯された送信装置３から生体信号記録装置４へ当該被検者１００の生体信号に対応する生体信号データＶＤを送信するシステムにおいて、生体信号データＶＤを欠落なく記録することを容易にできる。
【００６６】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６７】
上記の実施形態においては、送信装置３の充電部３５は、有線接続ＷＣを介して生体信号記録装置４の電源部４７から供給される電力ＰＷでバッテリ３４を充電するように構成されている。しかしながら、充電部３５は、生体信号記録装置４との有線接続ＷＣを介することなく、商用電源からＡＣアダプタを介して供給される電力でバッテリ３４を充電するように構成されうる。
【００６８】
上記の実施形態においては、生体信号取得部２が脳波を取得し、生体信号記録装置４が脳波計である例を示した。特にてんかん患者の場合、発作記録のために長時間にわたる脳波の連続記録が必要である。したがって、上記実施形態の構成によれば、てんかん患者の自由な移動を許容しつつ、脳波の連続記録が可能である。これにより、てんかん患者の負担を軽減しつつ、脳波データを欠落なく記録できる。しかしながら、本発明は、長時間の連続記録が求められる任意の生体信号に対して適用可能である。
【００６９】
送信装置３の送信部３１、記憶部３２、および補完送信部３３の各々は、ハードウェアとソフトウェアの少なくとも一方により実現される機能ブロックである。図１において、各機能ブロックは互いに独立しているが、これらの少なくとも１つは、共通のハードウェアモジュールあるいはソフトウェアモジュールにより実現されてもよい。
【００７０】
生体信号記録装置４の受信部４１、記録部４２、検出部４３、通知部４４、および補完記録部４５の各々は、ハードウェアとソフトウェアの少なくとも一方により実現される機能ブロックである。図１において、各機能ブロックは互いに独立しているが、これらの少なくとも１つは、共通のハードウェアモジュールあるいはソフトウェアモジュールにより実現されてもよい。
【符号の説明】
【００７１】
１：生体信号記録システム、２：生体信号取得部、３：送信装置、３１：送信部、３２：記憶部、３３：補完送信部、３４：バッテリ、３５：充電部、４：生体信号記録装置、４１：受信部、４２：記録部、４３：検出部、４４：通知部、４５：補完記録部、４６：表示部、４８：媒体装着部、１００：被検者、ＤＰ：生体信号の欠落部分、ＰＷ：電力、ＶＤ：生体信号データ、ＶＤＰ：欠落部分に対応する生体信号データ
【図１】
2016093296.tif 000003
【図２】
2016093296.tif 000004